Podtech/llm-jp-corpus-v4-ja_patent huggingface dataset:
(57)【要約】【課題】生体試料を良好にゲル化する容器を提供する。【解決手段】ゲル化容器１０は、上下に貫通した貫通孔１５を有する保持部材１１と、当該保持部材１１を下方から受ける受け部材１２と、を備えている。そして、保持部材１１の貫通孔１５及び受け部材１２により形成された空間に生体試料及びゲル化剤が混入される。受け部材１２はガラス製又はセロハン製である。このように受け部材１２がガラス製又はセロハン製であることから、生体試料に液体が含まれる場合であっても受け部材１２に液体が浸透、吸着されることを抑制することができる。【選択図】      図１
0003166860.tif 000002
【実用新案登録請求の範囲】
【請求項１】
上下に貫通した貫通孔を有する保持部材と、当該保持部材を下方から受けるとともに前記貫通孔を閉鎖可能な平面部を有する受け部材と、を備え、当該受け部材はガラス製又はセロハン製であることを特徴とする生体試料のゲル化容器。
【請求項２】
前記保持部材及び前記受け部材を収容可能な収容カセットと、当該収容カセットを上方から閉鎖可能な蓋と、を備え、前記収容カセットの底部及び前記蓋には上下方向に貫通した複数の孔が形成されていることを特徴とする請求項１に記載の生体試料のゲル化容器。
【考案の詳細な説明】
【技術分野】
【０００１】
本考案は、病理学的診断において患者の細胞や組織片等の生体試料をゲル化するための容器に関するものである。
【背景技術】
【０００２】
病理学的診断においては、顕微鏡観察に供するため、細胞や組織片等の生体試料をゲル化する。生体試料をゲル化する方法としてはセルブロック法が広く利用されている。セルブロック法は、生体試料とグルコマンナン等のゲル化剤と混合することによって生体試料をゲル化する方法である（例えば特許文献１）。
【０００３】
また、当該セルブロック法を簡易に実施可能なキットとして、ゲル化剤や生体試料を収容する容器を備えたセルブロック作製キットが販売されている。当該セルブロック作製キットにおいては、生体試料は上下に貫通した貫通孔を有する保持部材を下方からろ紙で受け、当該貫通孔に生体試料及びゲル化剤を混入し各種反応液と反応させることでセルブロックを得る。
【先行技術文献】
【特許文献】
【０００４】
【特許文献１】特開２００８−７６３４７号公報
【考案の概要】
【考案が解決しようとする課題】
【０００５】
しかし、ゲル化する生体試料に液体が含まれる場合には、ろ紙に当該液体が浸透、吸着してしまい、全量の生体試料をゲル化することができず、正確な病理学的診断が困難となっている。
【０００６】
本考案は、上記事情に鑑みてなされたものであり、生体試料を良好にゲル化する容器を提供することを目的とするものである。
【課題を解決するための手段】
【０００７】
上記課題を解決するため、本考案の生体試料のゲル化容器は、上下に貫通した貫通孔を有する保持部材と、当該保持部材を下方から受け、且つ前記貫通孔を閉鎖可能な平面部を有する受け部材と、を備え、当該受け部材はガラス製又はセロハン製であることを特徴とする。
【０００８】
本考案によれば、保持部材の下方から受け部材で受けた状態で、保持部材の貫通孔と受け部材の平面部により生じた空間に生体試料及びゲル化剤を混入することが出来る。この場合、受け部材がガラス製又はセロハン製であることから、生体試料に液体が含まれる場合にも受け部材へ浸透、吸着することがないため、生体試料の全量をゲル化することが可能となる。したがって、生体試料を良好にゲル化することが可能となり、正確な病理学的診断を行うことが出来る。
【考案の効果】
【０００９】
本考案によれば、生体試料を良好にゲル化することができる。
【図面の簡単な説明】
【００１０】
【図１】（ａ）は本実施形態の生体試料のゲル化容器を示す斜視図であり、（ｂ）は（ａ）におけるＡ−Ａ線断面図である。
【考案を実施するための形態】
【００１１】
以下、本考案を具体化した一実施形態を図面に基づいて説明する。
【００１２】
生体試料のゲル化容器１０は、保持部材１１と当該保持部材１１を下方から受ける受け部材１２と、保持部材１１及び受け部材１２とを上方から収容可能な収容カセット１３と、当該収容カセット１３を上方から閉鎖可能な蓋１４と、からなる。
【００１３】
保持部材１１には上下方向に貫通した貫通孔１５が形成されている。受け部材１２の上部の面は当該貫通孔１５の下端の開口面積よりも広い面積の平面部を有する形状であり、具体的には当該面積の平面部を有するガラス製の顕微鏡用のカバーガラス、又は耐水性を有する薄膜状のセロハンが考えられる。この形状により受け部材１２は貫通孔１５を閉鎖するように隙間なく当接する。また、収容カセット１３の底部及び蓋１４には上下方向に貫通した複数（多数）の孔１６，１７が形成されている。
【００１４】
保持部材１１の貫通孔１５と受け部材１２により形成された空間内に生体試料及びゲル化剤を混入する。ここで、受け部材１２が、ガラス製又はセロハン製であることから、生体試料に液体が含まれる場合であっても受け部材１２に液体が浸透、吸着されることを抑制することが可能となっている。
【００１５】
貫通孔１５と受け部材１２により形成された空間内に生体試料及びゲル化剤を混入した状態で、保持部材１１及び受け部材１２を収容カセット１３へ収容し、上方から蓋１４にて当該収容カセット１３を閉鎖する。この状態で、生体試料のゲル化容器１０はゲル化における反応液中に静止される。
【００１６】
ここで、収容カセット１３の底部及び蓋１４には多数の孔が形成されていることから、当該貫通孔を通じて反応液が収容カセット１３内に浸潤する。また、保持部材１１及び受け部材１２は、収容カセット１３及び蓋１４内に収容されているため移動が制限されている。本構成により、生体試料とゲル化剤と反応液との反応が可能となり、且つ、反応液中に良好に静止しておくことが可能となり、生体試料を良好にゲル化することが可能となる。
【符号の説明】
【００１７】
１０…生体試料のゲル化容器、１１…保持部材、１２…受け部材、１３…収納カセット、１４…蓋、１５…貫通孔、１６，１７…孔
【図１】
0003166860.tif 000003
(57)【要約】      （修正有）【課題】男性の排尿を補助するために筒型状に形成した男性用排尿補助具を提供する。【解決手段】男性の排尿を補助するために筒型状に形成した男性用排尿補助具１を使用し、筒型の本体２の基端部内周面３に水解性のシートを貼着する。男性用排尿補助具は、少なくとも基端部の内周面が水解性のシートとなるために、男性用排尿補助具の使用途中で尿によって基端部の内周面が溶けてしまうことがなく、しかも、男性用排尿補助具の使用後に基端部の内周面で男性器先端に付着した尿を拭き取ることができるので、男性用排尿補助具の使い勝手を良好なものとすることができる。【選択図】図１
0003166809.tif 000002
【実用新案登録請求の範囲】
【請求項１】
男性の排尿を補助するために筒型状に形成した男性用排尿補助具において、
筒型の本体の基端部内周面に水解性のシートを貼着したことを特徴とする男性用排尿補助具。
【請求項２】
男性の排尿を補助するために筒型状に形成した男性用排尿補助具において、
水解性のシートで筒型の本体の基端部側を形成したことを特徴とする男性用排尿補助具。
【請求項３】
男性の排尿を補助するために筒型状に形成した男性用排尿補助具において、
水解性のシートで筒型の本体の内周部側を形成したことを特徴とする男性用排尿補助具。
【考案の詳細な説明】
【技術分野】
【０００１】
本考案は、男性の排尿を補助するために筒型状に形成した男性用排尿補助具に関するものである。
【背景技術】
【０００２】
従来より、男性の起立姿勢での排尿時に尿勢不足によって便器周辺や着衣などを汚損してしまうのを防止するために、筒型状に形成した男性用排尿補助具が考案されている（たとえば、特許文献１参照。）。
【０００３】
この男性用排尿補助具にあっては、使用後に水洗トイレで廃棄することができるようにするために、水溶性の紙を用いて形成することが考えられている。
【先行技術文献】
【特許文献】
【０００４】
【特許文献１】実用新案登録第３１２００４０号公報
【考案の概要】
【考案が解決しようとする課題】
【０００５】
ところが、男性用排尿補助具を利用する者は、尿勢が弱く、排尿に長い時間を要することが多いために、男性用排尿補助具の素材として水溶性の紙を用いると、男性用排尿補助具の使用途中で尿によって一部が溶けてしまい、男性用排尿補助具の使い勝手が良好なものではなかった。
【課題を解決するための手段】
【０００６】
そこで、請求項１に係る本考案では、男性の排尿を補助するために筒型状に形成した男性用排尿補助具において、筒型の本体の基端部内周面に水解性のシートを貼着することにした。
【０００７】
また、請求項２に係る本考案では、男性の排尿を補助するために筒型状に形成した男性用排尿補助具において、水解性のシートで筒型の本体の基端部側を形成することにした。
【０００８】
また、請求項３に係る本考案では、男性の排尿を補助するために筒型状に形成した男性用排尿補助具において、水解性のシートで筒型の本体の内周部側を形成することにした。
【考案の効果】
【０００９】
そして、本考案では、以下に記載する効果を奏する。
【００１０】
すなわち、本考案では、男性の排尿を補助するために筒型状に形成した男性用排尿補助具において、少なくとも基端部の内周面が水解性のシートとなっているために、男性用排尿補助具の使用途中で尿によって基端部の内周面が溶けてしまうことがなく、しかも、男性用排尿補助具の使用後に基端部の内周面で男性器先端に付着した尿を拭き取ることができるので、男性用排尿補助具の使い勝手を良好なものとすることができる。
【図面の簡単な説明】
【００１１】
【図１】実施例１に係る男性用排尿補助具を示す斜視図（ａ）、側面断面図（ｂ）。
【図２】実施例２に係る男性用排尿補助具を示す斜視図（ａ）、側面断面図（ｂ）。
【図３】実施例３に係る男性用排尿補助具を示す斜視図（ａ）、側面断面図（ｂ）。
【考案を実施するための形態】
【００１２】
以下に、本考案に係る男性用排尿補助具の具体的な構成について図面を参照しながら説明する。
【００１３】
［実施例１］
図１に示すように、実施例１に係る男性用排尿補助具１は、水溶紙などの水溶性を有するシートを筒型形状にして本体２を形成し、その本体２の基端部内周面に水解紙などの水解性を有するシートを貼着して払拭部３を形成している。
【００１４】
［実施例２］
図２に示すように、実施例２に係る男性用排尿補助具４は、水溶紙などの水溶性を有するシートを筒型形状にして本体５の基端部側（基端部側本体６）を形成し、水解紙などの水解性を有するシートを筒型形状にして本体５の先端部側（先端部側本体７）を形成している。
【００１５】
［実施例３］
図３に示すように、実施例３に係る男性用排尿補助具８は、水溶紙などの水溶性を有するシートを筒型形状にして本体９の内周部側（内周部側本体10）を形成し、水解紙などの水解性を有するシートを筒型形状にして本体９の外周部側（外周部側本体11）を形成している。
【００１６】
なお、上記実施例１〜実施例３に係る男性用排尿補助具1,4,8において、基端部とは、男性用排尿補助具１を使用する際に男性器を挿入する側の端部を指している。
【００１７】
また、水溶性のシートは、水によって溶ける素材で形成したものを用い、水解性のシートは、吸水性を有し、水によって繊維が分解される素材で形成したものを用いている。
【００１８】
さらに、筒型の本体2,5,9は、初めから筒型形状に形成したものに限られず、携帯が便利なようにシート状の物を使用時に筒型形状に形成するようにしたものでもよい。
【００１９】
上記実施例１〜実施例３に示すように、本考案に係る男性の排尿を補助するために筒型状に形成した男性用排尿補助具1,4,8では、少なくとも基端部の内周面が水解性のシートとなっている。
【００２０】
そのため、上記構成の男性用排尿補助具1,4,8では、男性用排尿補助具1,4,8の使用途中で尿によって基端部の内周面が溶けてしまうことがない。
【００２１】
しかも、上記構成の男性用排尿補助具1,4,8では、男性用排尿補助具1,4,8の使用後に基端部の内周面で男性器先端に付着した尿を拭き取ることができる。
【００２２】
このように、本考案に係る男性用排尿補助具1,4,8では、従来のものに比べて男性用排尿補助具1,4,8の使い勝手を良好なものとすることができる。
【符号の説明】
【００２３】
１  男性用排尿補助具
２  本体
３  払拭部
４  男性用排尿補助具
５  本体
６  基端部側本体
７  先端部側本体
８  男性用排尿補助具
９  本体
10  内周部側本体
11  外周部側本体
【図１】
0003166809.tif 000003
【図２】
0003166809.tif 000004
【図３】
0003166809.tif 000005
(57)【要約】      （修正有）【課題】被分析物質のラマン信号の強度を増大させるラマン分光用基板を提供する。【解決手段】四角錐状凸凹構造のシリコン基板表面に、球状の銀ナノ粒子膜を堆積させる。【選択図】図１
0003166563.tif 000002
【実用新案登録請求の範囲】
【請求項１】
四角錐状凸凹構造のシリコン基板表面に、球状（半球状および扁平球状を含む）の銀ナノ粒子膜を堆積した構造を特徴とするラマン分光および表面増強ラマン分光用基板
【考案の詳細な説明】
【技術分野】
【０００１】
本考案は、ラマン分光あるいは表面増強ラマン分光に用いる基板に関するものである。
【背景技術】
【０００２】
従来のラマン分光あるいは表面増強ラマン分光に用いられる基板は、光反射率の高い金属平板や、シリコン基板表面の倒立四角錐孔あるいはシリコン基板表面の多孔質孔に、貴金属ナノ粒子を配置する構造である。
【先行技術文献】
【特許文献】
【０００３】
【特許文献１】特開２００５−５２４８５７  公報
【特許文献２】特開２００８−５１９２５４  公報
【非特許文献】
【０００４】
【非特許文献１】ウエットエッチングによる太陽電池用シリコンウェハーへの低反射表面凸凹構造の形成技術（表面技術、Vol.５６、No.１２、p８４３−８４６、２００５）
【考案の概要】
【考案が解決しようとする課題】
【０００５】
従来のラマン分光あるいは表面増強ラマン分光に用いられる基板は、光反射率の高い金属基板や、シリコン基板表面の倒立四角錐孔あるいはシリコン基板表面の多孔質孔に、貴金属ナノ粒子を配置する構造である。
【０００６】
これらの基板構造では入射光の吸収が少ないためラマン信号強度が低かったり、表面
増強ラマン分光効果をもたらすために用いる基板表面の加工プロセスが複雑であるなど
の課題があった。
【課題を解決するための手段】
【０００７】
本考案が提供するラマン分光あるいは表面増強ラマン分光用の基板は、上記課題を解
決するために、シリコン基板表面に非特許文献１記載の既知手法で四角錐状の凸凹構造
を形成し、真空蒸着法を用いてその表面に球状（半球状および扁平球状を含む）銀ナノ
粒子堆積膜を形成した構造とした。
【考案の効果】
【０００８】
本考案によれば、四角錐状凸凹構造のシリコン基板表面に真空蒸着法を用いて銀ナノ
球状（半球状および扁平球状を含む）粒子堆積膜を形成し、ラマン分光および表面増強
ラマン分光における入射光の多重反射がもたらされ、被分析物質のラマン信号の強度を
著しく増大させる効果がある。
【０００９】
さらに本考案は、表面増強ラマン分光効果をもたらす活性点となりえる十〜百nm程
度の球状（半球状および扁平球状を含む）銀ナノ粒子堆積膜構造を形成することができ、
表面増強ラマン信号を生成する場を多くするとともに、その強度を増大する効果がある。
【図面の簡単な説明】
【００１０】
【図１】本考案の分光用基板の構造を示す図である。
【考案を実施するための形態】
【００１１】
本分光用基板は、テクスチャー処理を行った四角錐状凸凹構造のシリコン基板表面
に球状（半球状および扁平球状を含む）銀ナノ粒子堆積膜を形成する。成膜後の基板は
切り分けてスライドグラスなどに張り付け、ラマン分光用基板として用いる。被分析サ
ンプルはこの基板上に、例えば水溶液状として、数マイクロリッター程度の液量を滴下
して、分光分析を実施する。また同様にして、表面増強ラマン分光用基板として用いる。
【実施例】
【００１２】
本分光用基板に、例えばモデル化学物質として塩素系殺菌剤であるクロロタロニル40
ppm溶液を3マイクロリットル滴下し、平坦な構造の銀蒸着膜基板を用いて同様にラマ
ン分光分析を行った結果と比較を行った。分析には日本電子製JRS-SYSTEM2000型顕微ラ
マン分光装置（励起波長632.8nm、分解能1cm-1、最大出力30mW、対物レンズ50倍）を
用いた。その結果、平坦な構造の銀蒸着膜基板と比較し1267cm-1あるいは2240cmのピ
ーク高さを基準にして計算すると約2倍程度以上の感度増加効果が確認された。同様の
方法で、ネオニコチノイド系農薬のクロチアニジン水溶液と銀ナノ粒子混合液を同基板
に滴下し分析を行うと、約0.1ppb程度の低濃度領域まで検出することが可能であった。
【産業上の利用可能性】
【００１３】
本分光用基板を用いると、食品や環境中の残留農薬や化学物質などの高感度分析を行
うことができる。またその他、人間や動物由来の体液などの化学成分をごく微量のサン
プルを用いて測定することが可能となる。
【符号の説明】
【００１４】
１  銀ナノ粒子堆積膜
２  四角錐状凸凹構造のシリコン基板
【図１】
0003166563.tif 000003
(57)【要約】      （修正有）【課題】公文書への使用が可能で且つ便利な硬質印章及び印肉付き筆記具を提供する。【解決手段】筆記具の軸体１１の後端部１１ｂに、柘植、水牛角、象牙、硬質プラスチックその他の硬質材料製印章１２と、当該印章用印肉１３とが設けられ、前記印章１２は、前記軸体の後端部１１ｂに固定され、前記印肉１３は、前記軸体の後端部と螺合し前記印章に蓋をする第１キャップ１４に固定され、前記印肉に蓋をする第２キャップ１５が、前記第１キャップ１４の後端部に設けられている。【選択図】図２
0003166579.tif 000002
【実用新案登録請求の範囲】
【請求項１】
筆記具の軸体の後端部に、柘植、水牛角、象牙、硬質プラスチックその他の硬質材料製印章と、当該印章用印肉とが設けられていることを特徴とする硬質印章及び印肉付き筆記具。
【請求項２】
前記印章は、前記軸体の後端部に固定され、
前記印肉は、前記軸体の後端部と螺合し前記印章に蓋をする第１キャップに固定され、
前記印肉に蓋をする第２キャップが、前記第１キャップの後端部に設けられていることを特徴とする請求項１に記載の硬質印章及び印肉付き筆記具。
【考案の詳細な説明】
【技術分野】
【０００１】
本考案は、軸体の後端部に公文書などへの使用が可能な硬質印章と印肉が設けられた筆記具に関するものである。
【背景技術】
【０００２】
連続多孔性ゴム製印章（いわゆる浸透印）を軸体の後端部に設けたボールペンやシャープペンなどの筆記具が知られている（特許文献１）。
【先行技術文献】
【特許文献】
【０００３】
【特許文献１】実用新案登録第３０９２５３０号公報
【考案の概要】
【考案が解決しようとする課題】
【０００４】
しかしながら、浸透印などの軟質印判は、力や熱のほか経時劣化により印影が変形するため、銀行印などの公文書への印章として認められないことが多く不便である一方で、柘植、水牛角、象牙、硬質プラスチックなどの硬質材料製印章は、公文書への印章としては適しているものの印肉がないと使用できないという不便さがある。
【０００５】
本考案が解決しようとする課題は、公文書への使用が可能で且つ便利な硬質印章及び印肉付き筆記具を提供することである。
【課題を解決するための手段】
【０００６】
本考案は、筆記具の軸体の後端部に柘植、水牛角、象牙、硬質プラスチックその他の硬質材料製の印章と、当該印章用印肉とを設けることにより、上記課題を解決する。
【考案の効果】
【０００７】
本考案の筆記具は、硬質印章が軸体の後端部に設けられているので公文書への使用が可能となり、しかも印肉が設けられているので硬質印章の使用に際して印肉を別途持参する必要がなく便利である。
【図面の簡単な説明】
【０００８】
【図１】本考案の一実施の形態に係る硬質印章及び印肉付き筆記具を示す全体斜視図である。
【図２】図１の軸体の後端部を示す断面図である。
【考案を実施するための形態】
【０００９】
本例の筆記具１は、たとえばボールペン、シャープペン、またはこれらの複合ペンとして構成され、詳細な説明は省略するが、ボールペン、シャープペンの芯材が回転式機構またはノック式機構により、軸体１１の先端部１１ａから出没する。なお、本考案に係る筆記具は、筆記具自体の構造乃至構成には特に限定されず、従来公知の構成を採用することができる。
【００１０】
本例の筆記具１では、軸体１１の後端部１１ｂに、柘植、水牛角、象牙、硬質プラスチックその他の硬質材料からなる印章１２と、当該印章１１に用いられる印肉１３とが設けられている。
【００１１】
印章１２は、軸体１１の後端部１１ｂに接着、嵌合、ねじ締め（以下螺合ともいう）などの手段により固定されている。硬質材製印章１２は、浸透印のように力、熱、経時劣化などによって印影が変形し難いので、銀行印として用いられる印章その他、公文書や準公文書に使用される印章として適している。
【００１２】
軸体１１の後端部１１ｂには、印章１２に蓋をするための第１キャップ１４が、ねじ締め又は嵌合により装着されている。図２に示す例では、軸体１１の後端部１１ｂと第１キャップ１４のそれぞれにネジ部が形成され、これらを螺合することにより第１キャップ１４が軸体１１に対して着脱可能とされている。
【００１３】
印肉１３は、第１キャップ１４に接着などの手段により固定されている。そして、第１キャップ１４の後端部には印肉１３に蓋をするための第２キャップ１５が、ねじ締め又は嵌合により装着されている。
【００１４】
印肉１３を軸体１１に設けることで、印章を使用する際に印肉を忘れることがなくなり、また別途印肉を所持する必要もなくなるのできわめて便利である。印章を使用する際は、第１キャップ１４を軸体１１から取り外し、さらに第１キャップ１４から第２キャップ１５を取り外し、軸体１１を把持しながら印章１２を印肉１３に押し付けることで捺印が可能となる。
【符号の説明】
【００１５】
１…筆記具
１１…軸体
１１ａ…先端部
１１ｂ…後端部
１２…印章
１３…印肉
１４…第１キャップ
１５…第２キャップ
【図１】
0003166579.tif 000003
【図２】
0003166579.tif 000004
【手続補正書】
【提出日】平成23年1月6日(2011.1.6)
【手続補正１】
【補正対象書類名】図面
【補正対象項目名】図１
【補正方法】変更
【補正の内容】
【図１】
0003166579.tif 000005
【手続補正２】
【補正対象書類名】図面
【補正対象項目名】図２
【補正方法】変更
【補正の内容】
【図２】
0003166579.tif 000006
(57)【要約】      （修正有）【課題】食器にこびりついたものでも素手感覚で洗うことができる食器洗浄用手袋を提供する。【解決手段】合成樹脂の網布地を少なくとも３枚重ねで構成した通気、通水性のある積層シートで作る。【選択図】図１
0003166505.tif 000002
【実用新案登録請求の範囲】
【請求項１】
網目合成樹脂シートを少なくとも３枚重ねて構成した通気性、通水性のある積層シートで作った食器洗浄用手袋。
【考案の詳細な説明】
【技術分野】
【０００１】この考案は食器洗浄用手袋に関するものである。
【背景技術】
【０００２】従来の食器洗浄用手袋としてはゴム手袋がある。
この手袋は水を通さないし、手荒れすることがない。
しかしゴワゴワしていて食器を素手感覚で洗うような感触が得られない。
その他、食洗機に入れる前の大量の食器下洗いの段階でスポンジを使用いるが  たえず手にスポンジを持って作業しているため、スピーデイに仕事が進まない。
【考案の概要】
【考案が解決しようとする課題】本考案は上記欠点を解決することを課題とする。すなわち上記欠点を解消するために  食器にこびりついた物でも素手感覚で洗うことができる食器洗浄用手袋を提供することを課題とする。
【課題を解決するための手段】この考案が提供する食器洗浄用手袋は網目合成樹脂製シートを少なくとも三枚重ねで構成した通気性、通水性のある積層シートで作ったものである。
【考案の効果】１、ゴワゴワしない。
２、素手感覚で洗えるため、こびりついた物を感じることができる。
３、スピーデイに洗える。
４、表面の網目が細かいため乾きが速く衛生的である。
【図面の簡単な説明】
【図１】  実施例の食器洗浄用手袋の正面図
【図２】  図１の要部断面図
【考案を実施するための形態】
実施例の手袋１は網目合成樹脂シート３枚重ねで作った積層シート２で構成したものである。
積層シート２は、外側、中側、内側の各布地シート３、４、５で作られている。外側シート３と内側シート５には細かい目の布地を使用し、中側シート４には粗目の布地を使っている。細かい目、粗い目は食器を洗う時に食べカスが入らない程度の大きさにした。
【符号の説明】１、  手袋
２、  積層シート
３、  外側の布地シート
４、  中側の布地シート
５、  内側の布地シート
【図１】
0003166505.tif 000003
【図２】
0003166505.tif 000004
(57)【要約】      （修正有）【課題】作業能率化のため、ペンを片手で取れるようにペンのキャップを破損せずに確実に固定することができるキャップを提供する。【解決手段】糸、紐、鎖、ワイヤー、または棒状の物体を通すための穴を開ける。【選択図】図１
0003166501.tif 000002
【実用新案登録請求の範囲】
【請求項１】
糸、紐、鎖、ワイヤー、または棒状の物体を通すための穴が開いている事を特徴とするペンのキャップ
【考案の詳細な説明】
【技術分野】
【０００１】この考案は、ペン先に被せるキャップの構造に関するものである。
【背景技術】
【０００２】  工場などで大量に生産される品物の出荷時に、品物にマークや文字を書き込む事がある。
その時に使用するペンは主に油性ペンが使用されており、これらは芯が破損したり乾燥しないようにキャップが被せられており、使用しない時はキャップを被せる必要がある。
そして、このキャップの取り外し・取り付けの作業時間を短縮し作業能率の向上を目指すために、キャップを作業台から取れないように固定し、ペンを使用するときに片手でペンを引っ張り作業台に固定されたキャップと分離させることで、キャップを手でつまみ引っ張る動作を省き迅速に作業を行えるように工夫がされる場合がある。
【先行技術文献】
【特許文献】
【０００３】  なし
【考案の概要】
【考案が解決しようとする課題】
【０００４】  しかしながら通常のペンのキャップと言うものは「人間が指でつまんで脱着する」と言う事を前提に作られており、キャップを作業台に固定しようとした場合には困難が伴う。
具体的には、ペンは使用しているうちにキャップとペンの接合部に塗料が付着して乾燥し、キャップとペンを分離する時に必要な力が変化する。
また、多くの場合にペンのキャップは樹脂で作られており、無理に圧力をかけて固定しようとすると割れて破損してしまう恐れもある。
従来技術ではこの問題を踏まえた上で、キャップを破損しないように、かつ、ペンを手に取る際に固定されているはずのキャップがペンごと取れないように注意を払いながらキャップを固定する必要があるのである。
そこで本考案では、キャップの側に構造上の工夫を行い、上述のような問題を解決し容易に様々な場所に固定できるキャップを提供する事を目的とする。
【課題を解決するための手段】
【０００５】  以上の課題を解決するために第一考案は、キャップに糸、紐、鎖、ワイヤー、または棒状の物体を通すための穴が開いている事を特徴とするペンのキャップである。
【考案の効果】
【０００６】  第一考案によれば、キャップに糸や棒などを通す方法により容易に、また確実に様々な場所にキャップを固定できるようになり、結果としてキャップを固定する際の労力を低減し、加えてペンを取る際にペンごとキャップが取れてしまうトラブルも低減する事ができる。
【図面の簡単な説明】
【０００７】
【図１】  この考案の一実施形態を示した側面図である。
【図２】  従来技術を示す側面図である。
【考案を実施するための形態】
【０００８】  先に従来技術の実施形態を図２を用いて説明すると、キャップ１にペン２が取り付けられている構造である。
これに対し本考案の一実施形態を図１を用いて説明すると、ペン２が取り付けられているキャップ１には穴３が開いているという部分で違いがあり、ここに糸や鎖、棒を通す事ができるようになっている。
【実施例】
【０００９】  この実施形態によれば、キャップの固定のためには穴３を利用して固定するだけで済むため、従来のような「壊れないように・キャップが取れないように」細心の注意をもってキャップを挟んだり、あるいはキャップを固定するための専用のホルダーを作る労力を低減させ、結果としてキャップが破損したり、キャップがペンごと取れてしまう不安を感じることなく作業をする事ができる。
【符号の説明】
【００１０】１  キャップ
２  ペン
３  穴
【図１】
0003166501.tif 000003
【図２】
0003166501.tif 000004
(57)【要約】      （修正有）【課題】摩耗しやすいハンダ付部が洗浄の際に摩耗するのを避け、耐久力を強化した業務用焼肉網を提供する。【解決手段】外周部分全体をアルミニューム補強フレームで覆い固定する。【選択図】図２
0003166507.tif 000002
【実用新案登録請求の範囲】
【請求項１】
業務用焼肉網の外周部分全体をアルミニューム補強フレームで覆い固定した業務用焼肉網
【請求項２】
アルミニューム補強フレームの固定手段としてリベットを使用したことを特徴とする請求項１記載の業務用焼肉網 
【考案の詳細な説明】
【技術分野】
【０００１】業務用焼肉網を使用後洗浄する場合、洗浄機による入念な洗浄を行うため、業務用焼肉網の摩耗が激しく、1〜3回の洗浄で業務用焼肉網が使用困難になり、ランニングコストが増大する結果となっている。本考案では業務用焼肉網の最も摩耗が激しい、外部フレームを削除することにより簡略化し、網の補強効果を増大させ、更に摩耗が激しい外郭フレームに互換性を持たせる効果により、大幅なコストダウンを実現させるものである。
【背景技術】
【０００２】今般使用している業務用焼肉網の汚れをとる洗浄機材の現状は、セラミック石を入れて洗浄するため、摩耗による破損が激しい。この不況の中、消耗品を安価にするためにも、耐久力のある商品として、今現在これに対応する商品が無いと考える。
【考案の概要】
【考案が解決しようとする課題】
【０００３】従来の摩耗しやすいハンダ付部を洗浄の際の摩耗から避け、耐久力を  強化させる。又、業務用焼肉網自体の構造の簡略化によるコストダウン並びに廃棄を少なくしエコへとつなげる。 
【課題を解決するための手段】
【０００４】従来の外郭フレームに替わり、アルミニュームを使用した補強フレームで網の外周部分全体を囲みリベットで固定し強固にする。
【考案の効果】
【０００５】本考案を使用することで、安定して洗浄が出来、最も高価な業務用焼肉網を長期間使用し、安価な部材であるアルミニューム製補強フレームを消耗材として活用することにより、大幅なランニングコストの低減が可能となり、またエコへの大きな貢献となる。
【図面の簡単な説明】
【０００６】
【図１】従来の業務用焼肉網の現状
【図２】本考案の業務用焼肉網
【図３】従来の業務用焼肉網の破損しやすい部分
【図４】アルミニュームとリベットを使用した本考案の断面図
【考案を実施するための形態】
【０００７】本考案は強力な洗浄に対し弱点であった図−３（c）をアルミニューム補強フレームで固定し、摩耗に対する強化を図る、またアルミニューム補強フレームの交換が簡便に出来るように図−４（ｄ）リベットで固定する構造とした。つまり業務用焼肉網の外周部分全体をアルミニューム補強フレームで覆い固定した業務用焼肉網、固定手段にリベットを使用しアルミニューム補強フレームを固定したことで作業の簡略化が図られる業務用焼肉網である。
【産業上の利用可能性】
【０００８】空前の韓国ブームという事もあり、焼肉ファンは非常に多く、その事に答えるためには、本考案のコスト削減が不可欠である。多くの焼肉店も同じ問題を抱えている。本考案の修理可能な業務用焼肉網を用いることでコスト対策、エコ対策両面共に改善されるものと考える。
【符号の説明】
【０００９】（ａ）  波状の網                （ｂ）  外郭フレーム                （ｃ）  外郭フレームと網の溶接部                （ｄ）  アルミニューム補強フレームへのリベット固定部
【図１】
0003166507.tif 000003
【図２】
0003166507.tif 000004
【図３】
0003166507.tif 000005
【図４】
0003166507.tif 000006
(57)【要約】      （修正有）【課題】作業者が脱落のおそれのない保持ができ、着脱がすばやくでき、作業者の動作を妨げない簡単な係止機構を有する巻尺を提供する。【解決手段】巻尺本体１にとりつけられている連結用金具２とカラビナフック３の下部連結部４とが、結束紐５で縛られ、固定する。巻尺の保持に際しては、カラビナフックの可動開口部を押し開け、この開口部が開いた状態で、ズボンのベルト通し等に掛けることにより保持する。巻尺の使用に際しては、再度カラビナフックの可動開口部を押し開け、ズボンのベルト通し等から外すことにより使用する。これにより片手での着脱が可能となる。【選択図】図１
0003166725.tif 000002
【実用新案登録請求の範囲】
【請求項１】
カラビナフックが取り付けられた巻尺
【考案の詳細な説明】
【技術分野】
【０００１】
本考案は、巻尺を携帯する際の留め具に関するものである
【背景技術】
【０００２】
従来一般に市販されている巻尺には大抵それ自身に作業者自身のベルトの着脱できるベルトフックが装填されている。このベルトフックで、作業ベルトに掛けた場合、脱落しやすく紛失する場合がある。また、高所の作業において、作業ベルトから巻尺が落下した場合には、下方で作業する作業員への危険を伴う。
【０００３】
このような不便さに対し、ベルトフックを外して、ホルダーにロックできるロック機構を装着する製品も市販されているが、巻尺を使用する際にすばやくホルダーから外れない、又は巻尺の使用後、ホルダーに設置するのに手間がかかるという問題がある。さらに、作業者が他の工具の携帯に要する腰袋、工具差し等とは別に巻尺の携帯のためのみにホルダーを身に着ける必要があり、身をかがめた際に腹部を圧迫する等、動作を妨げる要因となるという問題がある。   
【考案の概要】
【考案が解決しようとする課題】
【０００４】
本考案は、上述した事情に鑑みてなされたもので、脱落のおそれのない保持ができ、片手での着脱がすばやくでき、作業者の動作を妨げない簡単な係止機構を有する巻尺を提供することを目的とするものである。
【課題を解決するための手段】
【０００５】
本考案は、巻尺本体に、カラビナフックを取りつけた。
【考案の効果】
【０００６】
脱落のおそれのない安全確実な保持ができるだけでなく、片手ですばやく着脱ができ、作業に負担のない携帯ができる特徴を有する。
【図面の簡単な説明】
【０００７】
【図１】本考案の巻尺の斜視図である。
【図２】本考案の巻尺とカラビナフック連結部斜視図である。
【考案を実施するための形態】
【０００８】
以下、本考案の実施の形態について図面を参照しつつ説明すれば、図１は本考案の実施例をあらわすもっとも一般的な形態の巻尺斜視図を示すが、巻尺本体（１）にとりつけられている連結用金具（２）とカラビナフック（３）の下部連結部（４）とが、結束紐（５）で縛られ、固定されている。
【０００９】
本考案にかかる巻尺の保持に際しては、カラビナフックの可動開口部（５）を押し開け、この開口部が開いた状態で、ズボンのベルト通し等に掛けることにより保持する。巻尺の使用に際しては、再度カラビナフックの可動開口部（５）を押し開け、ズボンのベルト通し等から外すことにより使用する。これにより片手での着脱が可能となる。
【符号の説明】
【００１０】
１  巻尺本体
２  連結用金具
３  カラビナフック
４  下部連結部
５  結束紐
６  可動開口部
【図１】
0003166725.tif 000003
【図２】
0003166725.tif 000004
(57)【要約】      （修正有）【課題】靴踵外面に取付けの靴ヘラがスライドする事によって、ワンタッチ操作で靴が履けるようにした靴踵取付靴ヘラを提供する。【解決手段】靴ヘラ１のサイズは適宜で、資材はプラスチック又はステンレス板等で、背面にはスライドアーム受筒部２と面ファスナー４を設け、もう一方の靴踵取付け板にもスライドアーム受筒部と、面ファスナー４を設け、もう一方の靴踵取付け板にもスライドアーム受筒部と、面ファスナーを施す。双方の受筒部にスライドアーム３をセットして靴ヘラ１を回動自在とする靴踵取付け板を靴踵外面にリベット等で固着する。靴ヘラ１の下部を指先でつまみ上げて、足の踵を靴ヘラ１上に置き押し下げ履き終えた後、靴ヘラ１を抜いて垂直にして指先で押すと、靴踵取付け板の面ファスナーと密着する。【選択図】図２
0003166774.tif 000002
【実用新案登録請求の範囲】
【請求項１】
靴の踵に取付ける靴ヘラであって靴の踵の外側に靴ヘラ取付け板を固着し、その靴ヘラ取付け板の更に外側に靴ヘラ部材を設けると共に、前記靴ヘラ取付け板と靴ヘラ部材のそれぞれ上部側において、スライドアームを介して相互に回動自在に取付けると共に、下部においては面ファスナーを設けたことを特徴とする靴ヘラ。
【考案の詳細な説明】
【技術分野】
【０００１】本考案は靴の踵センター部外側に可動の靴ヘラを垂直に取付け、靴ヘラの下部を指先でつまみ上げると、スライド具が作動して靴ヘラの上部が靴内に挿入すると同時に、落ち込まないようにスライドアームがストッパーの役目をしてスムーズに履けることを特長とする、靴踵取付け靴ヘラ。
【背景技術】
【０００２】各種類の靴は履く際、靴ヘラが無いと履きづらかった。文献特開２００９−６６３６４号広報の滑り機を装着した靴は、中敷が連動するので履きづらい、本考案は靴踵外面に取付けの靴ヘラがスライドする事によって、ワンタッチ操作で靴が履ける。
【考案の開示】
【考案が解決しようとする課題】
【０００３】靴を履く際、いつどこででも靴ヘラが直ぐに使用出来る環境を作りたかった。
【課題を解決するための手段】
【０００４】靴の踵に取付ける靴ヘラであって、靴の踵の外側に靴ヘラ取付け板を固着し、その靴ヘラ取付け板の更に外側に靴ヘラ部材を設けると共に、前記靴ヘラ取り付け板と靴ヘラ部材のそれぞれ上部側において、スライドアームを介して相互に回動自在に取付けると共に、下部においては面ファスナーを設けたことを特徴とする靴ヘラ。
【考案の効果】
【０００５】踵取付けの靴ヘラの下部を指でつまみ上げ、下げのワンタッチ操作で靴が履け取り扱いがシンプルで、靴を履く時にわずらわしくなくて新しいライフスタイルになった。
【考案を実施するための最良の形態】
【０００６】図８は靴ヘラ１を指先で持ち上げて靴ヘラ１の上に足の踵を乗せ靴を履く状態から図９と図１０は踵を押し下げ履き終えて靴ヘラ１は収納状態におさまったさまを示す。
【実施例】
【０００７】靴ヘラ１のサイズは適宜で、資材はプラスチック又はステンレス板等で、背面にはスライドアーム受筒部２と面ファスナー４を設け、もう一方の靴踵取付け板にもスライドアーム受筒部６と、面ファスナー４を設け、もう一方の靴踵取付け板にもスライドアーム受筒部６と、面ファスナー７を施し、双方の受筒部にスライドアーム３をセットして靴ヘラ１を回動自在とする靴踵取付け板を靴踵外面にリベット等で固着し、靴ヘラ１の下部を指先でつまみ上げると上部が靴内にのぞみ足の踵を、靴ヘラ１上に置き押し下げ履き終えた後、靴ヘラ１を抜いて垂直にして指先で押すと、靴踵取付け板の面ファスナーと密着する。
【産業上の利用可能性】
【０００８】靴踵取付け靴ヘラは構造はシンプルで製造組付け取付けも容易で靴の産業界において大量生産も可能。
【図面の簡単な説明】
【０００９】
【図１】靴踵取付け靴ヘラの正面図である。
【図２】靴踵取付け靴ヘラの背面図である。
【図３】靴踵取付け靴ヘラの左側図面である。
【図４】靴踵センター部外面に取付けの固定板である。
【図５】靴踵センター部外面に取付けの固定板の左側図面である
【図６】靴踵センター部固定板に取付けの靴ヘラ下部をつまみ上げた状態で靴踵センター部を内面から見た図である。
【図７】靴踵に取付けた固定板５と靴ヘラ下部をつまみ上げた状態の背面図である。
【図８】本考案の実施例を示す左側図面である。
【図９】靴踵取付け靴ヘラを使用後靴取付け板にセット直前の左側図面である。
【図１０】靴取付け板に踵取付け靴ヘラを接合した左側図面である。
【符号の説明】１  靴踵取付け靴ヘラ部材
２  靴踵取付け靴ヘラ背面に設けたスライドアーム受筒部。
３  スライドアーム
４  靴ヘラ背面に設けた面ファスナー。
５  靴踵センター部外面に取付け板。
６  靴踵センター部外面取付け板に設けたスライドアーム受筒部。
７  靴踵センター部外面取付け板に設けた面ファスナー。
８  破線は靴の輪郭を示す。
９  破線は足の踵等輪郭を示す。
【図１】
0003166774.tif 000003
【図２】
0003166774.tif 000004
【図３】
0003166774.tif 000005
【図４】
0003166774.tif 000006
【図５】
0003166774.tif 000007
【図６】
0003166774.tif 000008
【図７】
0003166774.tif 000009
【図８】
0003166774.tif 000010
【図９】
0003166774.tif 000011
【図１０】
0003166774.tif 000012
(57)【要約】      （修正有） 【課題】日本列島と大陸間の送電システムを実現する変電所搭載船を提供する。【解決手段】日本列島大陸間海上に浮かぶ船舶２に日本列島内送電システムに於ける変電所１を塔載する事により日本列島大陸間送電システムに於ける変電所塔載船とする。【選択図】図１
0003166777.tif 000002
【実用新案登録請求の範囲】
【請求項１】
船舶に変電所を搭載した変電所塔載船。
【考案の詳細な説明】
【技術分野】
【０００１】
本考案は、従来の送電システムとしての日本列島と大陸間送電変電所対策に関する。
【背景技術】
【０００２】
日本列島内送電変電所があります。
【考案の概要】
【考案が解決しようとする課題】
【０００３】
しかしながら、日本列島内送電変電所は、日本列島と大陸間送電変電所とする送電システムでは、四方海で囲まれているのでそのまま採用はできないという欠点がある。
【０００４】
本考案は、上記実情を鑑みてなされたものであり、海上船舶塔載による海底ケーブル送電システムによる対策としている。
【課題を解決するための手段】
【０００５】
上記目的を達成するため考案は、日本列島内送電システムに於ける変電所を船舶塔載による送電システムとして次の構成を含むことを特徴としている。日本列島と大陸間に浮かべる事のできる船舶に日本列島内に於ける送電システムを構成している変電所を塔載している構成である。
【考案の効果】
【０００６】
本考案により、日本列島と大陸間の送電システムを実現する変電所塔載船にできる。
【図面の簡単な説明】
【０００７】
【図１】本考案の変電所塔載船である。
【考案を実施するための形態】
【０００８】
本考案の実施の形態の一例について図面を参照しながら説明する。
変電所塔載船は、図１に示すように、船舶２に変電所１を塔載したものである。
【符号の説明】
【０００９】
1.     変電所
２．    船舶（船艦）
【図１】
0003166777.tif 000003
(57)【要約】      （修正有） 【課題】詰襟学生服のカラーを利用して防寒性に優れた防寒用襟巻を提供する。【解決手段】長方形織物を、横方向に２つ折りにし、表面にファー又はボアを縫着し、裏面に詰襟学生服１の襟部の内面側に設けた付替えカラーの止め具に掛止するカラーを脱着可能に挿通保持し、前記カラーを付替えカラーの止め具に掛止した後、襟部の外面に向って前記表面のファー又はボア部８を折り返すようにした。【選択図】図５
0003166785.tif 000002
【実用新案登録請求の範囲】
【請求項１】
吸湿性、通気性、ソフトな触感及び、保湿性を有する材質よりなる長方形状織物を、横方向に２つ折りにし表面にファー又はボアを左右両端から夫々所定位置まで縫着すると共に裏面に詰襟学生服の襟部の内面側に設けた付替えカラーの止め具に掛止するカラーを脱着可能に挿通保持するカラーバンドを複数個縫着したものにおいて、前記カラーを付替えカラーの止め具に掛止する止め具穴を複数個設け、前記止め具穴を止め具に掛止した後、前記襟部の外面に向かって前記表面のファー又はボア部を折り返すことを特徴とする防寒用襟巻。
【考案の詳細な説明】
【技術分野】
【０００１】
本考案は、詰襟学生服の襟カラーに脱着可能な防寒用襟巻に関する。
【背景技術】
【０００２】
従来、この種の防寒用襟巻として特許文献1に記載のものが知られている。この防寒用襟巻は、首廻りからの肩の一部を覆う、扇状の肩当布を襟ぐり部に立襟を縫い付けるもので嵩張る等の問題点があった。
【先行技術文献】
【特許文献】
【０００３】
【特許文献１】実開昭６２−１１８１２１号公報
【考案の概要】
【考案が解決しようとする課題】
【０００４】
本考案は、以上の点に鑑み、詰襟学生服の襟カラーを利用して防寒性に優れた防寒用詰襟を提供することをその課題としている。
【課題を解決するための手段】
【０００５】
上記課題を解決するために、本考案は、吸湿性、通気性、ソフトな触感及び保温性を有する材質よりなる長方形状織物を、横方向に２つ折りにし、表面にファー又はボアを左右両端から夫々所定位置まで縫着すると共に、裏側に詰襟学生服の襟部の内側に設けた付替えカラーの止め具に掛止するカラーを脱着可能に挿通保持するカラーバンドを複数個縫着したものにおいて、前記カラーを付け替えカラーの止め具に掛止する止め具穴を複数個設け、前記止め具穴を止め具に掛止した後、前記襟部の外面に向って前記表面のファー又はボア部を折り返すことを特徴とする。
【考案の効果】
【０００６】
襟元及び首筋が覆われるので、コート等を着用しなくても、首まわりからの体温の消失、及び寒風の侵入を防ぐことができる。また、暖かい部屋等に在室する時には、通常のマフラー同様、簡単に脱衣することができる。
【図面の簡単な説明】
【０００７】
【図１】詰襟学生服の正面図。
【図２】本考案の展開状態の裏面を示す平面図。
【図３】本考案の裏面にカラーを挿通保持した状態を示す平面図。
【図４】本考案の使用状態を示す表面の平面図。
【図５】本考案を詰襟学生服に着用した状態を示す斜視図。
【考案を実施するための形態】
【０００８】
次に、上述した本考案を実施するための形態について、添付図面を参照しながら詳述する。
【０００９】
図１は、詰襟学生服の襟部２を示し、１は学生服、３は付け替えカラーの止め具である。
【実施例】
【００１０】
図２から図５は本考案の実施例をしめす。吸湿性、通気性、ソフトな触感及び保湿性を
有する材質よりなる織物を横長の長方形状に裁断した後、横方向に２つ折りにし、表面にファー又はボア８を左右両端から夫々所定位置まで縫着する。
【００１１】
また、織物の裏面５に詰襟学生服１の襟部２の内面側に設けた付替えカラーの止め具３に掛止するカラー４を脱着可能に挿通保持するカラーバンド６を複数個縫着して設けられている。
【００１２】
カラー４に詰襟学生服１の付替えカラーの止め具３に掛止する止め具穴７を横長に複数個設けられている。
【００１３】
織物の裏面５のカラーバンド６にカラー４を挿通保持し詰襟学生服１の付替えカラーの止め具３にカラー４の止め具穴７を貫設させ位置決めした後に、詰襟学生服１の襟部２上端から織物の表面のファー又はボア８部を外面に向かって折り返すようにしている。
【００１４】
ファー又はボア８部は７ｃｍから８ｃｍの長さが好適である。
【００１５】
尚、本考案の防寒用襟巻は、詰襟学生服だけでなく、手軽に普段着にも防寒としてマフラーの代用とすることができる。
【００１６】
また、織物の裏面５の左右端部に係止用のホックや面テープを縫着してもよい。
【符号の説明】
【００１７】
１・・・学生服
２・・・襟部
３・・・付け替えカラーの止め具
４・・・カラー
５・・・織物の裏面
６・・・カラーバンド
７・・・止め具穴
８・・・ファー又はボア
【図１】
0003166785.tif 000003
【図２】
0003166785.tif 000004
【図３】
0003166785.tif 000005
【図４】
0003166785.tif 000006
【図５】
0003166785.tif 000007
(57)【要約】      （修正有）【課題】装飾端による光線の屈折により、立体感が溢れ、見栄えが良くなるヘアクリップを提供する。【解決手段】第１クリップ２と、第２クリップ３と、弾性体４と、軸５と、を含み、前記第１クリップと前記第２クリップとは、前記軸の挿通により互いに枢着する。前記軸に前記弾性体が嵌め設けられ、前記第１クリップと前記第２クリップとは、挟み端２１と、前記挟み端の反対側に位置する装飾端２２と、をそれぞれ設ける。さらに、前記装飾端の表面に屈折面２２１、３２１を複数設け、隣接する屈折面同士の表面の向いている角度を互いに相異させてなる。【選択図】図２
0003166713.tif 000002
【実用新案登録請求の範囲】
【請求項１】
第１クリップと、第２クリップと、弾性体と、軸と、を含み、
前記第１クリップと前記第２クリップとは、前記軸の挿通により互いに枢着しており、前記軸に前記弾性体が嵌め設けられ、
前記第１クリップと前記第２クリップとは、挟み端と、前記挟み端の反対側に位置する装飾端と、をそれぞれ有し、
前記装飾端の表面に屈折面が複数設けられ、隣接する屈折面同士の表面の向いている角度が互いに異なることを特徴とするヘアクリップ。
【請求項２】
前記第１クリップと前記第２クリップとの前記装飾端は蝶々の造形にされていることを特徴とする、請求項１に記載のヘアクリップ。
【請求項３】
前記第１クリップと前記第２クリップとの前記装飾端は花の造形にされていることを特徴とする、請求項１に記載のヘアクリップ。
【考案の詳細な説明】
【技術分野】
【０００１】
本考案は、ヘアクリップに関し、特に、ヘアを挟んで固定できるヘアクリップに関するものである。
【背景技術】
【０００２】
従来、ヘアクリップは、ヘアの整理を便利にし、仕事中にヘアが視線を遮蔽することを回避し、或いはヘアがネックに付着してネックが熱く感じることを回避するためのものである。しかし、国民の生活レベルの向上に従って、ヘアクリップは、ヘアを装飾し、ファッションを表現するためのものになっている。
【０００３】
図１を参照する。図１に示したのは従来のヘアクリップである。ヘアクリップ１は、第１クリップ１１と、第２クリップ１２と、弾性体１３と、軸１４と、を少なくとも含む。第１クリップ１１と第２クリップ１２とは、互いに対応し、一端が押圧端１１１、１２１であり、他端が挟み端１１２、１２２であり、軸１４が第１クリップ１１と第２クリップ１２とを挿通し、軸１４に弾性体１３が嵌め設けられる。
【０００４】
しかしながら、上記のヘアクリップは、ヘアを挟んで固定できるが、見栄えが単調である問題があった。
【考案の概要】
【考案が解決しようとする課題】
【０００５】
本考案の主な目的は、装飾端による光線の屈折により、立体感が溢れ、見栄えが良くなるヘアクリップを提供することにある。
【課題を解決するための手段】
【０００６】
本考案のヘアクリップによると、第１クリップと、第２クリップと、弾性体と、軸と、を含み、
前記第１クリップと前記第２クリップとは、前記軸の挿通により互いに枢着しており、前記軸に前記弾性体が嵌め設けられ、
前記第１クリップと前記第２クリップとは、挟み端と、前記挟み端の反対側に位置する装飾端と、をそれぞれ有し、
前記装飾端の表面に屈折面が複数設けられ、隣接する屈折面同士の表面の向いている角度が互いに異なることを特徴とする。
【０００７】
本考案のヘアクリップによると、前記第１クリップと前記第２クリップとの前記装飾端は蝶々の造形にされていることを特徴とする。
【０００８】
本考案のヘアクリップによると、前記第１クリップと前記第２クリップとの前記装飾端は花の造形にされていることを特徴とする。
【考案の効果】
【０００９】
本考案のヘアクリップによれば、装飾端による光線の屈折により、立体感が溢れ、見栄えが良くなるという効果を有する。
【図面の簡単な説明】
【００１０】
【図１】従来のヘアクリップの構造を示す模式図である。
【図２】本考案のヘアクリップの分解斜視図である。
【図３】本考案のヘアクリップの組合済み状態の斜視図である。
【図４】本考案の別の実施例のヘアクリップの組合済み状態の斜視図である。
【考案を実施するための形態】
【００１１】
以下、本考案の実施の形態を図面に基づいて説明する。
まず、図２を参照する。本考案のヘアクリップは、第１クリップ２と、第２クリップ３と、弾性体４と、軸５と、を含む。
【００１２】
第１クリップ２は、一端が挟み端２１であり、他端が装飾端２２であり、挟み端２１と装飾端２２との境界で枢着部２３が形成される。
【００１３】
第２クリップ３は、一端が挟み端３１であり、他端が装飾端３２であり、挟み端３１と装飾端３２との境界で枢着部３３が形成される。
【００１４】
弾性体４は、第１クリップ２と第２クリップ３との間に設けられ、その両端がそれぞれ第１クリップ２と第２クリップ３とに押付けている。
【００１５】
軸５は、第１クリップ２と第２クリップ３との枢着部２３、３３及び弾性体４を挿通する。これにより、第１クリップ２と第２クリップ３とは互いに枢着しており、ヘアクリップを開けたり、閉じたりすることができる。
【００１６】
本考案のヘアクリップの従来のものと相違する点は、第１クリップ２と第２クリップ３との装飾端２２、３２の表面が複数の屈折面２２１、３２１を繋ぎ合せて構成される。隣接する屈折面２２１、３２１同士の表面の向いている角度は互いに異なる。
【００１７】
これにより、第１クリップ２と第２クリップ３との装飾端２２、３２の表面は複数の屈折面２２１、３２１を有し、隣接する屈折面２２１、３２１同士の表面の向いている角度が互いに異なる。そうすると、装飾端２２、３２による光線の屈折により、立体感が溢れ、見栄えが良くなる。
【００１８】
第１クリップ２と第２クリップ３との装飾端２２、３２は、図２及び図３に示した蝶々の造形にされており、或いは図４に示した花の造形にされている。
【００１９】
なお、本考案は前記実施の形態に限定されるものではなく、本考案の趣旨に基づいて種々変形させることが可能であり、それらを本考案の実用新案登録請求の範囲から排除するものではない。
【符号の説明】
【００２０】
１：ヘアクリップ
２：第１クリップ
３：第２クリップ
４：弾性体
５：軸
１１：第１クリップ
１２：第２クリップ
１３：弾性体
１４：軸
２１：挟み端
２２：装飾端
２３：枢着部
３１：挟み端
３２：装飾端
３３：枢着部
１１１：押圧端
１１２：挟み端
１２１：押圧端
１２２：挟み端
２２１：屈折面
３２１：屈折面
【図１】
0003166713.tif 000003
【図２】
0003166713.tif 000004
【図３】
0003166713.tif 000005
【図４】
0003166713.tif 000006